(57)【要約】処理モジュールは、コンピュータシステム装置において生成された入力信号を、ビデオ出力においてデジタル出力信号変換する。デジタル出力信号は、表示装置により視覚化されるよう適応される。処理モジュールは、表示装置の解像度に適合するよう出力信号の解像度をスケーリングするスケーリング手段を有する。処理モジュールは、グラフィカル処理及びメモリ手段が組み込まれるディスプレイアダプタと組合わされることが可能である。更に、処理モジュールは、表示装置の解像度に対応する出力信号の解像度を選択する選択手段も有し得る。
2005501324.tif 000002
【特許請求の範囲】
【請求項１】
コンピュータシステム装置において生成された入力信号を、前記コンピュータシステム装置のビデオ出力においてデジタル出力信号に変換し、前記デジタル出力信号は、ディスプレイ装置によって視覚化されるよう適応される処理モジュールであって、
前記処理モジュールは、前記ディスプレイ装置の解像度に適合するよう前記出力信号の解像度をスケーリングするスケーリング手段を有することを特徴とする処理モジュール。
【請求項２】
前記処理モジュールには、グラフィカル処理及びメモリ手段が組み込まれるディスプレイアダプタが一体にされることを特徴とする請求項１記載の処理モジュール。
【請求項３】
前記ディスプレイ装置の解像度に対応する前記出力信号の解像度を選択する選択手段を特徴とする請求項１記載の処理モジュール。
【請求項４】
前記出力信号は、ＬＶＤＳ、ＴＭＤＳ、又は、ＲＳＤＳプロトコルに準拠することを特徴とする請求項１記載の処理モジュール。
【請求項５】
視覚化される画像の一般的なパラメータを適応する画像適応手段を更に有することを特徴とする請求項１記載の処理モジュール。
【請求項６】
前記処理モジュールは、前記コンピュータシステム装置内に取り付けられるよう適応されることを特徴とする請求項１記載の処理モジュール。
【請求項７】
前記処理モジュールは、前記コンピュータシステム装置が有するバス構造に接続するよう適応されることを特徴とする請求項６記載の処理モジュール。
【請求項８】
前記ディスプレイ装置を収容するモニタに低電圧ＤＣ供給電圧を供給するよう適応される電源手段を更に有し、
前記モニタは、前記処理モジュールに接続されることを特徴とする請求項１記載の処理モジュール。
【請求項９】
前記処理モジュールは、前記処理モジュールを少なくとも１つの周辺装置に接続するための第１の周辺通信手段を有することを特徴とする請求項１記載の処理モジュール。
【請求項１０】
視覚化される情報をモニタに伝送するための請求項１に記載の処理モジュールを有するコンピュータシステム装置。
【請求項１１】
コンピュータシステム装置において生成されたビデオ信号をディスプレイ装置上に表示する方法であって、
前記コンピュータシステム装置において、前記ディスプレイ装置の解像度に適合するよう前記ビデオ信号の解像度をスケーリングする段階と、
前記スケーリングされたビデオ信号を前記ディスプレイ装置に伝送する段階と、を有する方法。
【請求項１２】
前記スケーリング段階の前に、
前記ディスプレイ装置の前記解像度を、前記コンピュータシステム装置に入力する段階を更に有する請求項１１記載の方法。
【発明の詳細な説明】
【０００１】
本発明は、コンピュータシステム装置において生成された入力信号を、コンピュータシステム装置のビデオ出力においてデジタル出力信号に変換する処理モジュールに関わり、そのデジタル出力信号は、ディスプレイ装置によって視覚化されるよう適応される。本発明は更に、そのような処理モジュールを有するコンピュータシステム装置に係る。最後に、本発明は、コンピュータシステム装置において生成されたビデオ信号をディスプレイ装置上で表示する方法に係る。
【０００２】
最近では、液晶ディスプレイ（ＬＣＤ）といったデジタルディスプレイ装置が、陰極線管（ＣＲＴ）ディスプレイの代わりに、パーソナルコンピュータシステムにおけるモニタ内のディスプレイとして一般的に用いられ、即ち、パーソナルコンピュータといったコンピュータシステム装置からのビデオ信号に応答して情報を表示するようになってきている。一般的に、このようなデジタルディスプレイ装置を有するモニタは、処理及び駆動電子装置、高電圧供給、及び低電圧供給を更に有する。
【０００３】
ＥＰ０９５３８９５は、コンピュータシステムにて使用するディスプレイアダプタを開示するが、このディスプレイアダプタは、アダプタをＣＲＴモニタに接続するためのアナログ出力と、アダプタをＬＣＤパネルに接続するためのデジタル出力とを有する。ディスプレイアダプタには、ＶＧＡ規格に準拠するデジタル及びアナログビデオ信号を供給するビデオコントローラが具備される。デジタルビデオ信号は、送信器によって、赤、緑、青、及びタイミングの情報をそれぞれ有する４つのシリアルストリームに変換される。シリアルストリームは、電磁気妨害を少なくするための遷移減少差動信号方式（ＴＤＭＳ）符号化スキームを取り込み、デジタル出力に接続されるケーブルを介してＬＣＤパネルに伝送されることが可能である。
【０００４】
この文書のコンテキストにおいて、信号は、単一の信号を有し得るが、更に、コンポジットライン上で供給されるパラレルビットといった複数の信号も有し得る。
【０００５】
従来技術は、コンピュータシステムにより生成された信号は、例えば、ＶＧＡ、ＸＧＡ、ＳＸＧＡ、ＵＸＧＡ等といった標準化された形式に準拠する形式を有し、一方、ディスプレイは、画素数に依存する解像度を有するという問題を有する。コンピュータシステムからの信号の解像度を、ディスプレイに必要とされる解像度に変換するために、ディスプレイは、コンピュータシステムからの信号の解像度をディスプレイに必要とされる解像度に変換する「スケーラ」装置を有する。スケーラ装置は、通常、ディスプレイの製造費、容量、及び、電力消費を増加するデジタル信号プロセッサ（ＤＳＰ）といった複雑な電子装置からなる。
【０００６】
本発明は、ディスプレイ装置を収容するモニタを単純化することを目的とする。
【０００７】
この目的及び他の目的を達成するために、本発明の処理モジュールは、ディスプレイ装置の解像度に適合するよう出力信号の解像度をスケーリングするスケール手段を有することを特徴とする。処理モジュール（コンピュータシステム装置内に設置され得る）が、ディスプレイ装置の解像度に適合するよう出力信号の解像度をスケーリングすると、ディスプレイ装置を収容するモニタにおける更なるスケーリングは必要ではない。このことは、モニタの電力消費、寸法、及び、製造費を減少できることを意味する。
【０００８】
処理モジュールは、グラフィカル処理及びメモリ手段が組み込まれるディスプレイアダプタが一体にされることが有利である。このようにすることにより、現段階の技術の処理モジュールは、スケーリングを容易に実行できるＤＳＰといったグラフィカル処理手段を有するので、スケーリングを容易に実施でき、従って、費用効果的なソリューションをもたらす。或いは、処理モジュールの入力は、現段階の技術のディスプレイアダプタの（デジタル又はアナログ）出力に接続され得、処理モジュールが、ディスプレイアダプタからビデオ信号を受信する。その結果、処理モジュールは、現行のディスプレイアダプタと組合わせて用いられ得る。
【０００９】
処理モジュールは、ディスプレイ装置の解像度に対応する出力信号の解像度を選択する選択手段を有することが有利である。このことは、選択手段によって、処理モジュールが、コンピュータシステム装置に接続した又は接続されるディスプレイ装置の解像度に対応する解像度を選択することが可能となるので、処理モジュールが、様々な解像度を有するディスプレイ装置と通信することを可能にする。
【００１０】
出力信号は、低電圧差動信号方式（ＬＶＤＳ）、遷移減少差動信号方式（ＴＭＤＳ）、又は、小振動差動信号方式（ＲＳＤＳ）プロトコルに準拠することが有利である。これらのプロトコルは、ＥＭＩ／ＲＦＩノイズを最小にしながら出力信号をシリアル化された形式で伝送し、更に、少数の導体を組み込んだケーブルを用いることを可能にする。好適な接続手段を用いて、任意の他の好適な符号化スキーム又はプロトコルを適用することも可能である。
【００１１】
処理モジュールは更に、視覚化される画像の輝度、コントラスト、又は、カラーバランスといった一般的なパラメータを適応する画像適応手段を有することが有利である。このことは、モニタ上の別個の制御部の必要を無くし、従って、モニタの製造費を減少し、外部設計を高める。パラメータは、好適なソフトウェアによって（例えば、キーボード又は他の周辺装置を介して）ユーザにより容易に変更されることが可能である。当業者は、処理モジュールからモニタに案内されるビデオ信号及び／又は制御信号は、適応された一般的なパラメータに関する情報をモニタに転送するよう適用可能であることを理解するものとする。
【００１２】
処理モジュールは、コンピュータシステム装置内に取り付けられるよう適応されることが有利である。この場合、処理モジュールは、コンピュータシステム装置が有するバス構造と接続するよう適応されると更に有利である。このことは、処理モジュールがコンピュータシステム装置内の囲いの内に設置され、現段階の技術によるディスプレイアダプタをコンピュータシステム装置に接続するための標準的な現行の延長手段を用いることが可能にされる。
【００１３】
処理モジュールは更に、ディスプレイ装置を収容するモニタに低電圧ＤＣ供給電圧を供給するよう適応される電源手段を有し、モニタは、処理モジュールに接続され得る。従って、コンピュータシステム装置とモニタとの間には一本のケーブルのみが必要となり、信号と供給電圧の両方をこの１つのケーブルによってモニタに供給することができる。モニタは、更に、処理モジュールによってモニタに供給されるＤＣ供給電圧を単純に減少する又は取り除くことによってスタンバイ状態にされることが可能である。このことは、例えば、ソフトウェア制御されるスイッチといったスイッチ手段によって容易に実施されることが可能であり、従って、モニタにおける複雑なスタンドバイ回路の必要をなくし、これは、モニタの製造費を更に低くする。
【００１４】
本発明は更に、モニタに視覚化される情報を送る本発明の処理モジュールを有するコンピュータシステム装置に係る。
【００１５】
本発明は更に、コンピュータシステム装置において生成されたビデオ信号をディスプレイ装置上に表示する方法に関わり、この方法は、コンピュータシステム装置において、ディスプレイ装置の解像度に適合するようビデオ信号の解像度をスケーリングする段階と、そのスケーリングされた信号をディスプレイ装置に送る段階とを含む。
【００１６】
本発明の方法は更に、ディスプレイ装置の解像度に適合するようビデオ信号の解像度をスケーリングする前に、コンピュータシステム装置にディスプレイ装置の解像度を入力する段階を有する。このようにすると、コンピュータシステム装置は、ディスプレイ装置の解像度に適合する正しい解像度を選択することができ、何故なら、ディスプレイ装置の解像度は、コンピュータシステム装置に伝送されるからである。その結果、異なる解像度のディスプレイ装置を夫々有する様々なモニタを用いることができる。
【００１７】
本発明は従って、視覚化される情報を、ＶＧＡ解像度といった標準化された解像度を有する特定の形式（この特定の解像度は、モニタに転送され、その後で、ディスプレイ装置の解像度に適合する形式に再び変換される）に変換するのではなく、視覚化される情報は、コンピュータシステム装置において、ディスプレイ装置の解像度に対応する解像度を有する信号に変換されることが可能であり、それにより、モニタにおける次の変換又はスケーリングが必要でなくなり、従って、モニタに接続されるコンピュータシステム装置を有するシステムを単純化する。
【００１８】
更なる特徴及び利点を、添付図面を参照しながら説明する。
【００１９】
図１は、モニタ１を示し、モニタ１は、この例では、ケーブル３である接続手段を介してコンピュータシステム装置２に接続される。モニタ１は、ＬＣＤディスプレイといったディスプレイ装置４を有する。ディスプレイ装置４は、ＬＶＤＳ受信器５といった通信装置とディスプレイ装置４を駆動するタイミング制御部６を有する駆動装置により駆動される。ＬＶＤ受信器５は、コンピュータシステム装置２内に設置される処理モジュール７に組み込まれるＬＶＤＳ送信器８と通信する。処理モジュール７は更に、スケーラ９と、処理モジュール７を、コンピュータシステム装置２内のバス構造に接続する接続手段１０とを更に有する。処理モジュール７は、更に、ビデオ情報及び他のタスクを生成且つ格納するグラフィカル処理及びメモリ手段（図示せず）と、接続手段１０と通信するための通信手段（図示せず）とを有する。処理モジュール７内のスケーラ９は、処理モジュール７の出力信号をスケーリングし、この出力信号は、ケーブル３を介してモニタ１に伝送され、モニタ１が有するディスプレイ装置４の解像度に合うようにされる。従って、スケーラ９によりスケーリングされ、ＬＶＤＳ送信器８によってシリアル化されたデジタルビデオ信号に変換されたビデオ信号は、モニタ１において更なるスケーリング作業を必要としない。従って、モニタ１では、更なるスケーリング処理手段は必要でなくなり、ケーブル３を介してモニタ１に供給され、ＬＶＤＳ受信器５によって受信されるビデオ信号は、タイミング制御部６を介してディスプレイ装置４を駆動するために、直接供給されることが可能である。
【００２０】
モニタ１は、ケーブル３を介してコンピュータシステム装置２から電力を受け取る。現段階の技術では、コンピュータシステム装置２は、商用電源ケーブル１２を介して商用ＡＣ電圧供給から供給される電源１１を有する。電源１１は、少なくとも１つのＤＣ供給電圧を供給して、コンピュータシステム装置２内に設置される多数のモジュールに動力を供給する。処理モジュール７は、これも、電源１により動力が与えられるが、少なくとも１つのＤＣ供給電圧を、ケーブル３を介してモニタ１に送る。モニタ１において、少なくとも１つのＤＣ供給電圧は、インバータ１３といった電力手段に供給され、この電力手段は、ディスプレイ装置４を駆動するのに必要な１つ以上の電圧を生成する。更に、ＬＶＤＳ受信器５及びタイミング制御部６といったモニタ１における他の電子部品も、当然ながら、コンピュータシステム装置２からケーブル３を介して受け取るＤＣ供給電圧により動力が与えられることが可能である。この結果、モニタ１は、別個の商用電源を必要とせず、これは、モニタ１の寸法及び製造費を更に下げ、モニタ１に電力を与える別個の商用電源ケーブルの必要もなくなり、従って、モニタ１を動作するために必要となるケーブル数も少なくなる。
【００２１】
モニタ１は、更に、この例では、ＵＳＢハブ１５である第２の周辺通信手段を有し、ＵＳＢハブ１５は、ケーブル３を介して、この例では、ＵＳＢモジュール１４への接続である処理モジュール７上の第１の周辺通信手段に接続される。マウス１６、キーボード１７、又は任意の他の周辺装置といった周辺装置は、モニタ１内のＵＳＢ１５に有線又は無線形式で接続することができる。ＵＳＢハブ１５は、コンピュータシステム装置２内のＵＳＢモジュール１４とケーブル３を介して通信する。モニタ１と多くの周辺装置は、卓上又はユーザにとって都合のよい別の場所に一般的に設置され、一方、コンピュータシステム装置２は一般的に、机の下において、戸棚又はその他の場所に置かれるので、本発明は、コンピュータシステムにおけるケーブル数の有意の減少を可能にする。というのも、本発明は、モニタ１の付近に位置付けられる周辺装置はモニタ１に容易に且つ好都合に接続することができるからである。このことは、周辺装置からコンピュータシステム装置２への追加のケーブルの必要を無くし、何故なら、周辺装置は、モニタ１に位置するＵＳＢハブ１５を介して、コンピュータシステム装置２に位置するＵＳＢモジュール１４とケーブル３を介して通信するからである。上述したＵＳＢモジュール１４の代替として、ＵＳＢモジュール又はＵＳＢハブ又は他の（第１の）周辺通信手段が、処理モジュール７が有することも可能である。
【００２２】
コンピュータシステム装置２内に設置される処理モジュール７が、異なる解像度のディスプレイ装置４を夫々有する様々なモニタ１に適用されることを可能にするために、モニタ１は、そのディスプレイ装置４の解像度に関する情報、又は、任意の他の情報を、処理モジュール７のケーブル３を介して伝送することができる。このスケーリング情報を用いて、処理モジュール７は、モニタ１に伝送されるビデオ信号の解像度を、接続されるモニタ１に含まれるディスプレイ装置４の解像度に合うよう適応することができる。
【００２３】
ＬＶＤＳプロトコルを用いることの次に、処理モジュール７は、当然ながら、例えば、ＴＭＤＳ又はＲＳＤＳプロトコルといった任意の他のシリアル化されたプロトコル、又は、任意の他の好適なパラレル又はシリアルプロトコルを用いて、視覚化される情報をモニタ１に伝送することもできる。更に、例えば、無線方式といった別の接続手段を介してコンピュータシステム装置２からモニタ１にビデオ信号を伝送することも可能である。接続手段１０を介して電気供給が供給されるのではなく、処理モジュール７及び／又はモニタ１は、コンピュータシステム装置に一般的に見受けられる電力コネクタといった別個のコネクタを介して電力が供給されることが可能である。
【００２４】
或いは、処理モジュール７は、現段階の技術のディスプレイアダプタに接続されることが可能であり、このディスプレイアダプタには、グラフィカル処理及びメモリ手段が組み込まれる。例えば、標準的なアナログ又はデジタルビデオ信号を供給するディスプレイアダプタの出力は、本発明による処理モジュール７の入力に接続されることが可能である。このことは、処理モジュール７が、現行のディスプレイアダプタに適用されることを可能にする。ディスプレイアダプタ、更には、処理モジュール７もコンピュータシステム装置２内に設置される場合、接続は、例えば、単純な短いケーブルによって実施されることが可能である。
【００２５】
更に、例えば、処理モジュール７が有するスイッチ手段によって、モニタ１への供給電圧を単純にオフにすることによって、モニタ１をスタンドバイモードにすることも可能である。
【００２６】
更に、処理モジュール７の出力信号の１つ以上のパラメータを適応することにより、及び／又は、処理モジュール７からモニタ１に伝送される制御信号を適応することにより、ユーザに好都合で且つ費用効果的なやり方で、輝度、コントラスト、及び他の特徴といったモニタ１によって視覚化される画像のパラメータを変更することも可能である。パラメータの適応は、例えば、処理モジュール７が有する処理手段によって行われることが可能である。この場合、パラメータは、例えば、キーボード１７上の特定のキーを押すことによって、マウス１６又は他の周辺機器によって、好適なソフトウェア手段によって、ユーザにより与えられる命令に応答して容易に且つ好都合に変更することが可能である。
【００２７】
この結果、本発明は、コンピュータシステム装置２におけるビデオ信号をモニタ１が有するディスプレイ装置４に必要な解像度にスケーリングすることにより、且つ、コンピュータシステム装置２からケーブル３を介してモニタにＤＣ供給電圧及び周辺通信手段を与えることにより、コンパクトで、低費用のモニタ１と、単純化されたケーブル布線３を有するコンピュータシステムの実施が可能となる。
【００２８】
尚、上述した実施例は、本発明を説明するものであって、本発明を制限するものではなく、当業者は、特許請求の範囲から逸脱することなく多数の代替の実施例を設計することが可能である。特許請求の範囲において、括弧内にある任意の参照符号は、特許請求の範囲を制限すると考えるものではない。「有する」という言葉は、列挙した構成要素又は段階以外の構成要素又は段階の存在を排除するものではない。単数形で示す構成要素は、その構成要素が複数あることを排除するものではない。本発明は、数個の別個の構成要素を有するハードウェアによって、更に、好適にプログラムされたコンピュータによって実行可能である。幾つかの手段を列挙する装置クレームにおいて、これらの手段のうちの幾つかは１つのアイテムのハードウェアとして具現化されることが可能である。特定の手段が互いに異なる独立クレームに記載されるという事実は、これらの手段の組合わせを利点に用いることができないということを示唆するものではない。
【図面の簡単な説明】
【００２９】
【図１】モニタと本発明によるコンピュータシステム装置を有するシステムを示すブロック概略図である。
【国際公開パンフレット】
2005501324.tif 000003
2005501324.tif 000004
2005501324.tif 000005
2005501324.tif 000006
2005501324.tif 000007
2005501324.tif 000008
2005501324.tif 000009
2005501324.tif 000010
2005501324.tif 000011
2005501324.tif 000012
2005501324.tif 000013
【国際公開パンフレット（コレクトバージョン）】
2005501324.tif 000014
【国際調査報告】
2005501324.tif 000015
2005501324.tif 000016
2005501324.tif 000017